(57)【要約】      （修正有）【課題】可能な限り小さい径の鋼管杭を採用したフィン付き鋼管杭を設置できるフィン付きケーシングを提供する。【解決手段】中空の管であるケーシング本体２と、該ケーシング本体の地盤側端部の所定の位置に固定された第１のフィン３と、ケーシング本体の地盤側端部の底面にその開口を覆うように着脱可能に係合された第２のフィン４と、該第２のフィンをケーシング本体に着脱可能に係合するための少なくとも１つのフック機構５とを備えるフィン付きケーシング１である。【選択図】図１
0003171898.tif 000002
【実用新案登録請求の範囲】
【請求項１】
地盤の支持力を改良するフィン付き鋼管杭を設置するためのケーシングであって、
中空の管であるケーシング本体と、
前記ケーシング本体の地盤側端部の所定の位置に固定された第１のフィンと、
前記ケーシング本体の地盤側端部の底面にその開口を覆うように着脱可能に係合された第２のフィンと、
前記第２のフィンを前記ケーシング本体に着脱可能に係合するための少なくとも1つのフック機構とを備えるケーシング。
【請求項２】
前記第１のフィンが前記ケーシング本体の地盤側端部の外周に固定されている請求項１に記載のケーシング。
【請求項３】
前記第１のフィンが前記ケーシング本体の地盤側端部の底面に固定されており、前記ケーシング本体の開口のうち中央の所定の範囲に対応する貫通口を有する請求項１に記載のケーシング。
【請求項４】
前記フック機構が、垂直方向に回動可能であって前記ケーシング本体の内部の支点に軸支された第１の腕部と、前記第１の腕部の外側の端部に関節結合され前記ケーシング本体の外側に延伸する第２の腕部と、前記第２の腕部の先端に設けられ前記第２のフィンを係合する爪部とを備える請求項１ないし３に記載のケーシング。
【請求項５】
さらに、第１の端部が前記第１のフィンに蝶番を介して回動可能に軸支され、反対側の第２の端部の先端が前記第２のフィンよりも下方に位置するように配置された第３のフィンを備える請求項１又は２に記載のケーシング。
【請求項６】
前記フック機構が、前記第２のフィンの所定の位置に水平方向に延伸させた延伸部と、前記延伸部を係合するため前記第３のフィンの所定の位置に設けられた凸部を備える請求項５に記載のケーシング。
【請求項７】
前記第２のフィンが前記ケーシング本体側の面の中央に突出部を有し、前記突出部が前記ケーシング本体の開口に貫入される請求項１ないし６に記載のケーシング。
【考案の詳細な説明】
【技術分野】
【０００１】
本考案は、地盤の支持力を改良するフィン付き鋼管杭を設置するためのケーシングに関する。
【背景技術】
【０００２】
建物を建造する際に地盤中に設けられる基礎としては、ベタ基礎、布基礎、杭基礎など種々のものがある。これらは、建物の種類、地盤の状況、必要な費用などの諸条件に適したものが選択されるが、軟弱な表層土の厚みが相対的に深い箇所については、杭基礎が採用されることが多い。そして、杭基礎に用いられる杭としては鋼管杭やコンクリート杭があり、その設置方法としては、前者では回転圧入工法、後者では現場打設工法が用いられる例が多い。
【０００３】
これらのうち、鋼管杭の回転圧入工法においては、施工中は回転による圧入を容易にし、施工後は地盤の支持力を高めるため、鋼管杭の地盤側端部にフィン（翼）を装着することが有効な手段として知られている。これは、施工中は回転モータの回転力がフィンによる推進力となること、施工後は地盤の支持力を鋼管杭の本体のみならずフィンにも受けることによる。結果として、工期の短縮や杭の数を減ずることができ、コストの低減化にとって有用な手段となっている。
【０００４】
しかし、昨今の経済情勢においては、金属価格の高騰から、鋼管杭による杭基礎に要するコストのさらなる低減化が社会的な要請となっている。このことは、去る３月１１日に発生した東日本大震災を契機として、一層拍車がかかるものと思われる。
【０００５】
そこで、施工後の所定の支持力を得られる範囲内で、鋼管杭として可能な限り細いものを採用してコストの低減化を図ることが考えられる。しかし、回転圧入工法においては、地盤からの反力を受けるため、一定以下の径の鋼管杭を使用すると、地盤の状況によっては、回転モータによる回転力と地盤からの反力によりひずみを生じ、最悪の場合には、ねじ切れてしまうことがある。このような状況を解決するため、フィンと径の細い鋼管杭を別個に地盤中に貫入して、フィン付き鋼管杭とする手段が考えられる。
【０００６】
ここで、杭基礎の大部分をコンクリート杭とするものについては、例えば、特許第３４５８１１６号（特許文献１）において、図７に示すように、翼が傾斜して取付けられた短管からなる鋼管杭と、連結手段により鋼管杭にトルクの伝達可能かつ軸方向に着脱可能に連結されたケーシングとからなる翼付き鋼管部材を有し、翼付き鋼管部材を地中にねじ込んで埋設したのち翼付き鋼管部材内に鉄筋又はコンクリート杭を建込んでコンクリート又は固化剤を打設又は注入し、ケーシングを引抜いて造成したことを特徴とする場所打ち杭が開示されている。
【０００７】
また、特開２００６−０５７４０４号公報（特許文献２）において、図８に示すように、筒状の本体の外周面に外方に拡がる翼体を設けてなり、且つ、筒状のケーシングにより地中に埋め込まれる基礎杭用の先端ヘッドであって、本体に設けられ且つケーシングに設けられた被係止部と係脱可能な係止部を備え、係止部及び被係止部の係止によって、ケーシング及び先端ヘッドをつれ回りさせつつ地中に埋め込めることができると共に、係止部及び被係止部の係止解除によって、先端ヘッドを地中の所定深さ位置に残したままケーシングを地中より引き抜くことができ、引き抜いたケーシングの中にコンクリートを打設する基礎杭が開示されている。
【先行技術文献】
【特許文献】
【０００８】
【特許文献１】特許第３４５８１１６号
【特許文献２】特開２００６−０５７４０４号公報
【考案の概要】
【考案が解決しようとする課題】
【０００９】
しかしながら、前述のとおり、特許第３４５８１１６号（特許文献１）及び特開２００６−０５７４０４号公報（特許文献２）ともに、地盤中に残置された短いフィン付き鋼管杭又は先端を有しているものの、杭全体としては現場打設するコンクリート杭を設置する手段であって、完全なフィン付き鋼管杭を設置する手段とすることはできないという問題がある。
【００１０】
従って、本考案は、施工後の所定の支持力を得られる範囲内で、可能な限り小さい径の鋼管杭を採用したフィン付き鋼管杭を設置できるケーシングを提供することを目的としている。
【課題を解決するための手段】
【００１１】
上述した課題を解決するため、本考案は、以下のケーシングを提供する。
（１）地盤の支持力を改良するフィン付き鋼管杭を設置するためのケーシングであって、中空の管であるケーシング本体と、ケーシング本体の地盤側端部の所定の位置に固定された第１のフィンと、ケーシング本体の地盤側端部の底面にその開口を覆うように着脱可能に係合された第２のフィンと、第２のフィンをケーシング本体に着脱可能に係合するための少なくとも1つのフック機構とを備えるケーシングを提供する。
【００１２】
（２）さらに、本考案は、第１のフィンがケーシング本体の地盤側端部の外周に固定されている（１）に記載のケーシングを提供する。
【００１３】
（３）さらに、本考案は、第１のフィンがケーシング本体の地盤側端部の底面に固定されており、ケーシング本体の開口のうち中央の所定の範囲に対応する貫通口を有する（１）に記載のケーシングを提供する。
【００１４】
（４）さらに、本考案は、フック機構が、垂直方向に回動可能であってケーシング本体の内部の支点に軸支された第１の腕部と、第１の腕部の外側の端部に関節結合されケーシング本体の外側に延伸する第２の腕部と、第２の腕部の先端に設けられ第２のフィンを係合する爪部とを備える（１）ないし（４）に記載のケーシングを提供する。
【００１５】
（５）さらに、本考案は、第１の端部が第１のフィンに蝶番を介して回動可能に軸支され、反対側の第２の端部の先端が第２のフィンよりも下方に位置するように配置された第３のフィンを備える（１）又は（２）に記載のケーシングを提供する。
【００１６】
（６）さらに、本考案は、フック機構が、第２のフィンの所定の位置に水平方向に延伸させた延伸部と、延伸部に係合するため第３のフィンの所定の位置に設けられた凸部を備える（５）に記載のケーシングを提供する。
【００１７】
（７）さらに、本考案は、第２のフィンがケーシング本体側の面の中央に突出部を有し、突出部がケーシング本体の開口に貫入される（１）ないし（６）に記載のケーシングを提供する。
【考案の効果】
【００１８】
本考案によれば、施工後の所定の支持力を得られる範囲内で、可能な限り小さい径の鋼管杭を採用したフィン付き鋼管杭を設置できるケーシングを提供することができる。
【図面の簡単な説明】
【００１９】
【図１】本発明の第一の実施形態に係るケーシングの正面図である。
【図２】本発明の第一の実施形態に係るケーシングの先端の拡大斜視図である。（ａ）がフック機構が解除される前の状態を示す図、（ｂ）が鋼管杭によってフック機構が解除された状態を示す図である。
【図３】本発明の第一の実施形態に係るケーシングを用いてフィン付き鋼管杭を設置する方法を示す断面図である。（ａ）がケーシングを所定の位置まで回転圧入した状態を示す図、（ｂ）がケーシングを逆回転させて引き抜いている状態を示す図である。
【図４】本発明の第二の実施形態に係るケーシングの正面図である。
【図５】本発明の第三の実施形態に係るケーシングであって、（ａ）地中方向に掘削中の状態を示す概念図、（ｂ）掘削とは逆回転させて地上方向に引抜いている状態を示す概念図である。
【図６】本発明の第三の実施形態に係る第２のフィンの斜視図である。
【図７】従来技術の一例を示す図である。
【図８】従来技術の他の例を示す図である。
【考案を実施するための形態】
【００２０】
（第一の実施形態）
図１及び図２に示すように、第一の実施形態に係るケーシング１は、中空の管であるケーシング本体２と、ケーシング本体２の地盤側端部の外周に固定して取り付けられた第１のフィン３と、ケーシング本体の地盤側端部の底面にその開口を覆うように着脱可能に係合された第２のフィン４と、第２のフィン４をケーシング本体２に着脱可能に係合するための少なくとも1つのフック機構５とから構成されている。
【００２１】
ケーシング本体２は円筒形状をなしているが、中空の筒状をなしている限り、ケーシング本体２の横断面は円形には限定されない。例えば、丸角の正方形などであってもよい。また、ケーシング本体２を形成する材質は、金属製（例えば、鋼製）や塩化ビニル製であってもよい。塩化ビニル製のケーシング本体２の強度は、例えば鋼管からなるケーシング本体２の強度よりも若干低いが、工事現場の地盤の状況などに適応したものを選択すればよい。
【００２２】
第１のフィン３は、ケーシング本体２の地盤側端部の外周に２葉の略扇形状の翼状部３１，３２が所定の角度をもってケーシング本体２を中心として対称的に配置されている。第１のフィン３の形状はこれに限定されるものではなく、例えば、１葉の環形状のものを螺旋に設けてもよい。さらに、上下に複数の段にわたって設けてもよい。また、第１のフィン３を形成する材質は、金属製（例えば、鋼製）や塩化ビニル製などであってもよく、ケーシング本体２の材質を勘案して適切なものを選択すればよい。
【００２３】
第２のフィン４は、ケーシング本体２の地盤側端部の底面に当接してその開口を覆う略正方形をなす中央部４１と、中央部４１の４つの辺の各々から外側に延びる４個の翼状部４２とから構成されている。中央部４１のケーシング本体側の面の中央には略三角形の突出部４３が突設されている。後述するように、突出部４３は、小さい径の鋼管杭６をケーシング本体２の中に挿入する際のガイドとなるものである。
【００２４】
４個の翼状部４２の各々は中央部４１に対して交互に上方及び下方に曲折されているが、やや詳しく説明すると、第１の翼状部４２ａは中央部４１に対して上方に、第１の翼状部４２ａに隣接する第２の翼状部４２ｂは中央部４１に対して下方に、第２の翼状部４２ｂに対向する第３の翼状部４２ｃは中央部４１に対して上方に、第３の翼状部４２ｃに対向する第４の翼状部４２ｄは中央部４１に対して下方に、それぞれ曲折されている。換言すると、対角線上に位置する翼状部４２が同じ方向に、すなわち、第１及び第３の翼状部４２ａ、４２ｃはともに中央部４１に対して上方に、第２及び第４の翼状部４２ｂ、４２ｄはともに中央部４１に対して下方に、それぞれ曲折されている。
【００２５】
考案者が行った実験によれば、翼状部４２が中央部４１に対して曲折する角度は１５度乃至４５度の範囲内にあることが好ましく、１５度乃至３０度の範囲内にあることがより好ましい。なお、第２のフィン４の形状はここで述べた形状に限定されるものではなく、例えば、中央部４１は正方形でなくても、ケーシング本体２の開口を覆うことができれば、任意の形状で差し支えない。翼状部４２についても、長方形を斜めに曲折した形状でなくても、扇形状や環形状であってもよく、翼状部の枚数も適宜とすることができる。また、第２のフィン４を形成する材質は、金属製（例えば、鋼製）や塩化ビニル製などであってもよく、ケーシング本体２の材質を勘案して適切なものを選択すればよい。
【００２６】
フック機構５は、ケーシング本体２と第２のフィン４を着脱可能に係合するためのものであって、図３に示すように、ケーシング本体２の内部の支点５４に垂直方向に回動可能に軸支された第１の腕部５１と、第１の腕部の外側の端部５１ａに関節結合されケーシング本体の外側に延伸する第２の腕部５２と、第２の腕部の先端に設けられ第２のフィンを係合する爪部５３とから構成されている。ケーシング１を回転圧入工法によって地盤中に回転圧入する際、及び、何らかの理由により中途でケーシング１を逆回転させて引き抜く際には、このフック機構５によって係合された第２のフィン４はケーシング本体２とともに同一方向に回転することとなる。
【００２７】
第１の腕部５１の内側の端部５１ｂは、小さい径の鋼管杭６が第２のフィン４の中央部４１に突設された突出部４３にガイドされた際に、鋼管杭６の円周部が接触するように位置決めされている。従って、ケーシング１が地盤中の所定の位置に達し、鋼管杭６がケーシング本体２の中空部分に挿入されると、鋼管杭６の円周部が第１の腕部５１の内側の端部５１ｂを押し込むことにより、第２の腕部５２が持ち上がり、爪部５３が第２のフィン４から離脱することとなる。
【００２８】
ここでは、フック機構５が２つある例を示しているが、地盤の状況、第２のフィン４の形状などを勘案して、フック機構５を１つ又は３つ以上としてもよい。
【００２９】
次に、本実施形態に係るケーシング１を用いてフィン付き鋼管杭を設置し、地盤を改良する工法を説明する。
【００３０】
先ず、ケーシング本体２の地盤側端部の外周に第１のフィン３を固定したケーシング１を用意する。固定にあたっては、ケーシング本体２及び第１のフィン３の材料に応じ、溶接等の方法を適宜に選択できる。
【００３１】
次いで、ケーシング本体２の地盤側端部の底面に第２のフィン４をその中央部４１がケーシング本体２の開口を覆うように当接させる。そして、フック機構５の爪部５３を第２のフィン４の翼状部４２に係合させる。
【００３２】
次に、重機Ａ（図示せず）に搭載された回転圧入装置Ｂ（図示せず）にケーシング１の杭頭部を連結する。ここまでが、準備行為である。
【００３３】
以上の構成及び準備行為を踏まえて、以下の方法により、フィン付きケーシングを用いてフィン付き鋼管杭を設置する。図３を参照しつつ、説明する。中空の管であるケーシング本体２と、ケーシング本体２の地盤側端部の所定の位置に固定された第１のフィン３と、ケーシング本体２の地盤側端部の底面にその開口を覆うように着脱可能に係合された第２のフィン４と、第２のフィン４をケーシング本体２に着脱可能に係合するための少なくとも１つのフック機構５とを備えるケーシング１を地盤中に回転圧入する（ステップ（ａ））。ねじ込みに際しては、第２のフィン４の中央部４１によってケーシング本体２の地盤側端部の底面は覆われているため、土砂はケーシング本体２の中空部分にほとんど侵入することはない。
【００３４】
次いで、所定の位置に達して回転圧入を止めた後、鋼管杭６をケーシング本体２の地上側端部の開口から挿入し、第２のフィン４に当接するまで、第２のフィン４のケーシング本体側の面の中央に突設されケーシング本体の内部に貫入された突出部４３に差し込む（ステップ（ｂ））。このときの状態を図３（ａ）に示す。鋼管杭としては、ケーシングの中に挿入できる径を有し、施工後の強度を保てるものであれば特に限定はないが、例えば、単管パイプを好適な一例として使用することができる。そして、ステップ（ｂ）の過程において、鋼管杭６がフック機構５を解除することにより、第２のフィン４をケーシング本体２から解放する（ステップ（ｃ））。
【００３５】
次に、第２のフィン４とそれに当接した鋼管杭６を残置したまま、ケーシング本体２を逆回転させつつ引き抜く（ステップ（ｄ））。ステップ（ｄ）の過程において、ケーシング本体２と鋼管杭６の間の空間に土砂を埋戻す（ステップ（ｅ））。このときの状態を図３（ｂ）に示す。引抜いたケーシング１は再使用することができる。
【００３６】
フック機構５が解除されるプロセスは次のとおりである。鋼管杭６が、突出部４３に差し込まれる過程で、突出部４３の近傍に位置決めされた第１の腕部５１の内側の端部５１ｂをその円周部によって押し込むことにより、第２の腕部５２が持ち上がり、爪部５３が第２のフィン４から離脱する。
【００３７】
これにより、地中に残置された第２のフィン４とそれに当接した小さい径の鋼管杭６は、フィン付き鋼管杭として作用することとなる。
【００３８】
（第二の実施形態）
上述の第一の実施形態において、第１のフィン３を、ケーシング本体２の地盤側端部の底面に固定されており、ケーシング本体２の開口のうち中央の所定の範囲に対応する貫通口３３を有する第１のフィン３’としたこと以外は、第一の実施形態と同じである。以下に、第一の実施形態と異なる点のみを説明する。
【００３９】
この形態では、第１のフィン３’を現場でケーシング本体２に固定できる。例えば、図４に示すように、ケーシング本体２の地盤側端部の底面にボルト２１を取り付けておき、ボルト２１を貫通させる孔３４を予め設けてある第１のフィン３’をボルト２１に貫通させ、反対側をナット２２で締め付けることにより固定することができる。
【００４０】
ボルト２１に対するナット２２の締め付けは、溶接と比較して、作業としてははるかに容易であり、かつ、より短い時間で行うことが可能である。本願発明に係るケーシング１そのものは鋼管杭として地盤中に残置されるものではなく、原則として何回も使用可能なものであり、現場あたり必要となるその本数は鋼管杭よりも少なくて済む。しかし、多くのケーシングが必要となるような工事現場であるときには、外周にあらかじめフィンが固定されたケーシングよりも、本実施形態ではケーシング本体２と第１のフィン３’をそれぞれ別個に運搬できることから、運搬効率の向上を図ることができる。
【００４１】
第１のフィン３’に設けられた貫通口３３は、第２のフィン４の突出部４３をケーシング本体２の中空部分へ挿入するのに妨げとならないようにするため設けられているものである。
【００４２】
第１のフィン３’の形状は所望のものとすることができ、特に限定されない。例えば、上述の第２のフィン３と同じ形状のものであっても差し支えない。また、第１のフィン３’をケーシング本体２に固定する手段も、回転圧入する際や逆回転させて引き抜く際にケーシング本体２から脱落しない手段であれば、特に限定されることはなく、上述のボルト・ナットによる締め付けのほか、適切なオス・メスを設けて嵌合させてもよい。
【００４３】
（第三の実施形態）
次に第三の実施形態について説明する。第三の実施形態は、上述の第一の実施形態において、第２のフィン４を略長方形の平板である第２のフィン４’とし、さらに第１のフィン３に蝶番７１を介して回動可能に軸支された第３のフィン７を配置したものである。以下に、第一の実施形態と異なる点のみを説明する。
【００４４】
この形態では、第３のフィン７が第２のフィン４’に代えて又は加えてその他のフィンと協調して土を掘削していくものである。すなわち、図５（ａ）に示すように、第３のフィン７は、その第１の端部７ａが蝶番７１を介して回動可能に第１のフィン３に取り付けられており、反対側の第２の端部７ｂの先端が第２のフィン４’よりも下方に位置するように配置されている。後述するように、第２のフィン４’は第３のフィン７に係合されており、ケーシング１が回転すると、第３のフィン７に押されて第２のフィン４’も一緒に回転する。第３のフィン７の取付け角度は掘削する場所の地質条件などを考慮して設定することができるが、水平方向に対し概ね６０度の設定が好適である。第３のフィン７の所定の位置には、第２のフィン４’を係合するための凸部７２が設けられており、この形態のフック機構を構成している。
【００４５】
図５（ｂ）は、ケーシング１を逆回転させて引抜いている状態を示している。逆回転することによって第２のフィン４’は第３のフィン７から離脱し、挿入された鋼管杭６とともに土中に残留する。引抜いていく状態では、蝶番７１が回動可能なことにより第３のフィン７はほぼ水平位置をとる。この際、第１のフィン３は鋼管杭６の周辺の土を下方に締め固める働きをする。ここで、ケーシング１の上部に螺旋８を設けて、ケーシング１の上方にある土を下方に移動させてもよい。
【００４６】
第２のフィン４’は、図６に示すように、その中央部４４に突出部４５を有している。突出部４５はケーシング１の開口内に挿入されるが、本形態の突出部４５は、小さい径の鋼管杭６がケーシング１に上方から差し込まれた際に、鋼管杭６を係止するための逆Ｌ字型の切欠き部４５ａが設けられている。鋼管杭６として、その内部の所定の位置に内径方向に跨るピンが設けられているものを用いれば、当該ピンをこの切欠き部４５ａに嵌合させることができる。当該ピンを設けている鋼管杭６は図示されていないが、一般的に知られているものを使用すればよい。この嵌合により、所定の深度まで掘削した後、鋼管杭６をケーシング１内に挿入させ、鋼管杭６を土中に残留させたままケーシング１を掘削時とは逆回転させて引抜く際、逆Ｌ字の横辺の延長方向と同じ方向に逆回転させることにより、鋼管杭６は突出部４５から外れることはない。
【００４７】
また、第２のフィン４’には、所定の方向に延伸部４６が設けられている。この延伸部４６を第３のフィン７の凸部７２に係合させることにより、第２のフィン４’はケーシング１から脱落せずに一緒に回転していく。図６では、底面側の短辺方向に棒状のものを差し渡して延伸部４６を設けているが、その形成方法はこれに限るものではない。例えば、第２のフィン４’の一部を一体成型して同様の延伸部４６を設けてもよい。また、図６では、延伸部４６に水平方向に対し傾きを設けているが、これは、逆回転させたときに延伸部４６が第３のフィン７の凸部７２から外れやすくするためである。傾きを設けなくても外れるが、掘削対象の地質状況などに応じて設定すればよい。
【００４８】
以上の構成を踏まえて、以下の方法により、フィン付きケーシングを用いてフィン付き鋼管杭を設置する。図５を参照しつつ、説明する。中空の管であるケーシング本体２と、ケーシング本体２の地盤側端部の所定の位置に固定された第１のフィン３と、ケーシング本体２の地盤側端部の底面にその開口を覆うように着脱可能に係合された第２のフィン４’と、第１の端部が第１のフィン３に蝶番７１を介して回動可能に軸支され、反対側の第２の端部の先端が第２のフィン４’よりも下方に位置するように配置された第３のフィン７と、第２のフィン４’をケーシング本体２に着脱可能に係合するための少なくとも１つのフック機構とを備えるケーシングを地盤中に回転圧入する（ステップ（ｆ））。ねじ込みに際しては、第２のフィン４’の中央部４４によってケーシング本体２の地盤側端部の底面は覆われているため、土砂はケーシング本体２の中空部分にほとんど侵入することはない。
【００４９】
次いで、所定の位置に達して回転圧入を止めた後、鋼管杭６をケーシング本体２の地上側端部の開口から挿入し、第２のフィン４’に当接するまで、第２のフィン４’のケーシング本体２側の面の中央に突設されケーシング本体２の内部に貫入された突出部４５に差し込み、突出部４５に設けられた切欠部４５ａに鋼管杭６を嵌合させる（ステップ（ｇ））。鋼管杭６としては、ケーシングの中に挿入できる径を有し、施工後の強度を保てるものであれば特に限定はないが、例えば、単管パイプを好適な一例として使用することができる。
【００５０】
次に、フック機構を解除することにより第２のフィン４’を前記ケーシング本体２から解放し、第２のフィン４’とそれに当接した鋼管杭６を残置したまま、ケーシング本体２を逆回転させつつ引き抜く（ステップ（ｈ））。ステップ（ｈ）の過程において、ケーシング本体２と鋼管杭６の間の空間に土砂を埋戻す（ステップ（ｉ））。この際、第３のフィン７は、フック機構が解除されることにより、蝶番７１の働きによってほぼ水平の位置をとる。
【００５１】
フック機構が解除されるプロセスは次のとおりである。フック機構が、第２のフィン４’の所定の位置に水平方向に延伸させた延伸部４６と、延伸部４６を係合するため第３のフィン７の所定の位置に設けられた凸部７２を備えており、ケーシングが逆回転することにより延伸部４６と凸部７２が離脱する。
【００５２】
これにより、地中に残置された第２のフィン４’とそれに当接した小さい径の鋼管杭６は、フィン付き鋼管杭として作用することとなる。
【産業上の利用可能性】
【００５３】
本考案に係るケーシングは、建物、特に、一般家屋や比較的小規模の建築物の基礎地盤を改良するため、小さい径のフィン付き鋼管杭の設置に利用することができる。ひいては、低廉なコストで安全な住環境を提供することができる。
【符号の説明】
【００５４】
１          ケーシング
２          ケーシング本体
３          第一及び第三の実施形態に係る第１のフィン
３１，３２  第１のフィン３の翼状部
３’        第二の実施形態に係る第１のフィン
３３        第１のフィン３’の貫通口
４          第一及び第二の実施形態に係る第２のフィン
４１        第２のフィン４の中央部
４２        第２のフィン４の翼状部
４３        第２のフィン４の突出部
４’        第三の実施形態に係る第２のフィン
４４        第２のフィン４’の中央部
４５        第２のフィン４’の突出部
４６        第２のフィン４’の延伸部
５          第一及び第二の実施形態に係るフック機構
５１        フック機構５の第１の腕部
５１ａ      フック機構５の第１の腕部の外側の端部
５１ｂ      フック機構５の第１の腕部の内側の端部
５２        フック機構５の第２の腕部
５３        フック機構５の爪部
５４        フック機構５の支点
６          小さい径の鋼管杭
７          第３のフィン
７１        第３のフィン７の蝶番
７２        第３のフィン７の凸部
８          螺旋
Ａ          重機
Ｂ          回転圧入装置
【図１】
0003171898.tif 000003
【図２】
0003171898.tif 000004
【図３】
0003171898.tif 000005
【図４】
0003171898.tif 000006
【図５】
0003171898.tif 000007
【図６】
0003171898.tif 000008
【図７】
0003171898.tif 000009
【図８】
0003171898.tif 000010
【手続補正書】
【提出日】平成23年8月24日(2011.8.24)
【手続補正１】
【補正対象書類名】実用新案登録請求の範囲
【補正対象項目名】請求項４
【補正方法】変更
【補正の内容】
【請求項４】
前記フック機構が、垂直方向に回動可能であって前記ケーシング本体の内部の支点に軸支された第１の腕部と、前記第１の腕部の外側の端部に関節結合され前記ケーシング本体の外側に延伸する第２の腕部と、前記第２の腕部の先端に設けられ前記第２のフィンを係合する爪部とを備える請求項１ないし３のいずれか１項に記載のケーシング。
【手続補正２】
【補正対象書類名】実用新案登録請求の範囲
【補正対象項目名】請求項７
【補正方法】変更
【補正の内容】
【請求項７】
前記第２のフィンが前記ケーシング本体側の面の中央に突出部を有し、前記突出部が前記ケーシング本体の開口に貫入される請求項１ないし６のいずれか１項に記載のケーシング。
【手続補正３】
【補正対象書類名】明細書
【補正対象項目名】００１４
【補正方法】変更
【補正の内容】
【００１４】
（４）さらに、本考案は、フック機構が、垂直方向に回動可能であってケーシング本体の内部の支点に軸支された第１の腕部と、第１の腕部の外側の端部に関節結合されケーシング本体の外側に延伸する第２の腕部と、第２の腕部の先端に設けられ第２のフィンを係合する爪部とを備える（１）ないし（４）のいずれか１つに記載のケーシングを提供する。
【手続補正４】
【補正対象書類名】明細書
【補正対象項目名】００１７
【補正方法】変更
【補正の内容】
【００１７】
（７）さらに、本考案は、第２のフィンがケーシング本体側の面の中央に突出部を有し、突出部がケーシング本体の開口に貫入される（１）ないし（６）のいずれか１つに記載のケーシングを提供する。